(57)【要約】【課題】キャスターの取付構造において、ボルトやナット等を用いずともキャスターの装着が極めて簡単であり、そのうえで装着に必要な力も軽くて済み、また構造的にもコスト高等を招来することがないようにする。【解決手段】キャスター取付部２０には、キャスター３の座板２３上面を当て止めする座板支持部２６と、この座板支持部２６を中間においた両側に対設される第一、第二係合口部２７，２８とが設けられ、第一係合口部２７へ座板２３の一端部を差し込んで座板２３上面を座板支持部２６へ当接させ、第一係合口部２７から座板２３を引き抜きつつ第二係合口部２８へ座板２３の他端部を差し込むと、第一係合口部２７に設けられたストッパ部３０が座板２３を第二係合口部２８へ向けて当て止めする構造とした。【選択図】図１
2006213231.tif 000002
【特許請求の範囲】
【請求項１】
車輪（２１）の上部に取付相手部材への取付用座板（２３）が設けられたキャスター（３）を取付相手部材のキャスター取付部（２０）へ取り付ける構造において、キャスター取付部（２０）には、キャスター（３）の座板（２３）上面を当て止めする座板支持部（２６）と、この座板支持部（２６）を中間においた両側で互いに対向して設けられる第一係合口部（２７）及び第二係合口部（２８）とが設けられており、第一係合口部（２７）と第二係合口部（２８）との相互間隔は、第一係合口部（２７）へ座板（２３）の一端部を差し込んで座板（２３）上面を座板支持部（２６）へ当接させることで座板（２３）の他端部を第二係合口部（２８）へ向けた差し込み準備位置へ位置付けでき、且つ、第一係合口部（２７）へ差し込んだ座板（２３）の一端部を当該第一係合口部（２７）から引き抜くことで第二係合口部（２８）への座板（２３）の他端部の差し込みが可能で、更に第二係合口部（２８）内へ座板（２３）の他端部を差し込み完了したときには第一係合口部（２７）から座板（２３）の端部が出る寸法に形成され、第一係合口部（２７）には、第二係合口部（２８）へ座板（２３）の他端部を差し込み完了させた状態で当該第一係合口部（２７）から出た座板（２３）の端部を第二係合口部（２８）へ向けて当て止めするストッパ部（３０）が設けられていることを特徴とするキャスターの取付構造。
【請求項２】
前記第一係合口部（２７）に設けられたストッパ部（３０）は、上下方向に弾性変形可能に設けられていることを特徴とする請求項１記載のキャスターの取付構造。
【請求項３】
前記座板支持部（２６）は、第二係合口部（２８）へ座板（２３）の他端部を差し込み完了状態としたときに第一係合口部（２７）のストッパ部（３０）をキャスター取付部（２０）の上方から視認可能にする開口（Ｘ）を形成した大きさで形成されていることを特徴とする請求項１又は請求項２記載のキャスターの取付構造。
【請求項４】
前記座板支持部（２６）は、第二係合口部（２８）へ座板（２３）の他端部を差し込み完了状態としたときにこの第二係合口部（２８）に差し込まれた座板（２３）の上面をキャスター取付部（２０）の上方から視認可能にする開口（Ｙ）を形成した大きさで形成されていることを特徴とする請求項１乃至請求項３のいずれかに記載のキャスターの取付構造。
【請求項５】
前記キャスター取付部（２０）は、座板支持部（２６）と第一係合口部（２７）と第二係合口部（２８）を含めて、取付相手部材に一体形成されていることを特徴とする請求項１乃至請求項３のいずれかに記載のキャスターの取付構造。
【請求項６】
台枠（２）とこの台枠（２）の下面に設けられたキャスター（３）とを有し、請求項１乃至請求項５のいずれかに記載のキャスター（３）の取付構造が上記台枠（２）を取付相手部材としてキャスター（３）との間で適用される台車において、上記台枠（２）は、相互段積みするときに平面方向の位置ズレを阻止する凹凸係合部（１２）（１５）が上面と下面との間で形成されることを特徴とする台車。
【請求項７】
前記台枠（２）の上面には、上位に段積みされた台車のキャスター（３）を収容可能にする窪み部（８）が設けられていることを特徴とする請求項６記載の台車。
【請求項８】
前記台枠（２）には、キャスター（３）に接触しない位置で下方へ突出する幕板部（１０）が設けられ、この幕板部（１０）の下端が段積み時の下位の台枠（２）上部に当接可能に形成されており、これら幕板部（１０）の下端部と台枠（２）の上部との間で前記凹凸係合部（１２）（１５）が形成されることを特徴とする請求項６又は請求項７記載の台車。
【発明の詳細な説明】
【技術分野】
【０００１】
本発明は、キャスターの取付構造と、この取付構造を具備する台車とに関するものである。
【背景技術】
【０００２】
台車などにキャスターを取り付けるための構造として、ボルトやナットを用いずに簡単装着ができるようにしたものが提案されている（特許文献１〜３等参照）。これらの構造は、キャスターに設けられている取付用の金属製座板を、その取付相手部材（台車の台枠等に相当）の下面に鉤型を対向させる状態で設けられた一対の係合部分（以下「案内レール部」と言う）へスライド状に嵌め込ませ、スライドさせた先方で当て止めさせることでこの座板を３方向から拘束し、そのうえで、この当て止め位置とは反対側となる座板の一端部に、鉤先（特許文献１）、ストッパ（特許文献２）、抜止片（特許文献３）などの押圧部材を押し付けることで、この座板を位置決めし、且つガタツキや脱落が起こらないようにするものであった。
【０００３】
なお、特許文献１に記載された鉤先は、座板上面と当接する部材（文献中では「凹部４の底面３」と記載）に対し上下揺動自在な状態で一体形成された弾性片であり、特許文献２に記載されたストッパは、座板上面と当接する部材（文献中では「制止部材３」と記載）に対して別途取り付けられたそれ自体が上下揺動自在となる板バネであり、特許文献３に記載された抜止片は、座板上面と当接する部材（文献中では「取付座４」と記載）に対し固定的に一体形成された突出片である。
これら鉤先、ストッパ、抜止片などの押圧部材は、案内レール部に対してキャスターの座板を嵌め込ませるときの座板のスライド軌跡面を遮るように、取付相手部材に突設されているので、いざ座板を嵌め込もうとするときには邪魔になる存在である。
【０００４】
すなわち、案内レール部へキャスターの座板を嵌め込ませるときには、この座板が押圧部材を乗り越す必要がある。キャスターの座板は金属プレートであり可撓性も弾性も殆どないので、この座板が押圧部材を乗り越すときには、押圧部材側、又は案内レール部側を弾性変形させる必要が生じる。
【特許文献１】実開昭５２−６１０５９号公報
【特許文献２】実開昭５４−３０４６４号公報
【特許文献３】実開平６−５３２０４号公報
【発明の開示】
【発明が解決しようとする課題】
【０００５】
従来のキャスター取付構造で採用された押圧部材のうち、特許文献１記載の鉤先や特許文献２記載のストッパは、元々、上下揺動自在となる弾性を有しているため、これらを弾性に抗して撓ませてスライド軌跡面から追い出す状態に保持すれば、座板を案内レール部へ嵌め入れることができる。
ただ、この押圧部材の追い出しには、押圧部材がスライド軌跡面から完全に無くなるように、押圧部材の突出高さ分全部に匹敵するだけの力が必要になる。そしてこの力は、キャスター全体を取付相手部材へ押し付ける向きの力として発揮しなければならない。
【０００６】
従って、キャスターを取付相手部材へ装着する作業は、このキャスター全体を取付相手部材へ押し付ける向きの力と、キャスター全体を案内レールに沿わせてスライドさせる向きの力との直交する二方の力を同時に必要とし、大変な力作業となる。
しかも、キャスター全体を取付相手部材へ押し付ける力は、キャスターの座板が完全に係止部材を乗り越えるまで持続させなければならないので、キャスターを取付相手部材へ装着する作業を繰り返し行うときには、大変な重労働に繋がる。
これらのことは、上下揺動の弾性を有しない特許文献３記載の抜止片では、益々、困難を極めることを意味することは明らかである。
【０００７】
なお、特許文献２記載のストッパのように、この押圧部材が取付相手部材とは別部品とされていると、部品点数が多くなり、部品コストが必要になり、更にそれ自体の組み立ての手間が必要であること等が要因となり、コスト高や組み立て作業の低能率化などの不都合をも招来することになっていた。
本発明は、上記事情に鑑みてなされたものであって、ボルトやナット等を用いず、装着が極めて簡単で、装着に必要な力も軽くて済み、また構造的にもコスト高等を招来することがないようにしたキャスターの取付構造を提供することを目的とする。
【０００８】
また本発明に係る台車では、安定した段積みができるものとして、段積み作業時やその後の段積み状態においてキャスターへの衝撃発生を防止させ、ボルトやナットを用いないで装着したキャスターが、万が一にでも、脱落してしまうようなことが決してないようにできる台車を提供することを目的とする。
【課題を解決するための手段】
【０００９】
前記目的を達成するために、本発明は次の手段を講じた。
即ち、本発明に係るキャスター取付構造は、車輪の上部に取付相手部材への取付用座板が設けられたキャスターを取付相手部材のキャスター取付部へ取り付ける構造であって、キャスター取付部には、キャスターの座板上面を当て止めする座板支持部と、この座板支持部を中間においた両側で互いに対向して設けられる第一係合口部及び第二係合口部とが設けられている。
そして第一係合口部と第二係合口部との相互間隔は、第一に、第一係合口部へ座板の一端部を差し込んで座板上面を座板支持部へ当接させたとき、座板の他端部を第二係合口部へ向けた差し込み準備位置へ位置付けできるという条件を満たす寸法になっている。
【００１０】
また第一係合口部と第二係合口部との相互間隔は、第二に、第一係合口部へ差し込んだ座板の一端部をこの第一係合口部から引き抜いたときに、第二係合口部への座板の他端部の差し込みが可能であるという条件を満たす寸法になっている。
更に第一係合口部と第二係合口部との相互間隔は、第三に、第二係合口部内へ座板の他端部を差し込み完了したときに、第一係合口部から座板の端部が出るという条件を満たす寸法になっている。
これらの条件のもと、第一係合口部には、第二係合口部へ座板の他端部を差し込み完了させた状態で、この第一係合口部から出た座板の端部を第二係合口部へ向けて当て止めするストッパ部が設けられている。
【００１１】
このような構成であると、第一係合口部へ座板の一端部を差し込む段階では、キャスター（座板）に対して何ら負荷が生じない。
次に、第一係合口部へ差し込んだ座板の一端部を引き抜きつつ第二係合口部へ座板の他端部を差し込むに際し、第一係合口部に設けられたストッパ部を座板で引き起こすように操作するが、このときの座板の動きには梃子作用が生じるため、ストッパ部の引き起こしは軽い力でも可能になっている。
そして、第二係合口部へ座板の他端部を差し込み完了させて、第一係合口部のストッパ部を座板の他端部へ当接させる操作でも、キャスター（座板）に対しては殆ど負荷は生じない。むしろ、この操作時には、座板で引き起こし状態とさせているストッパ部の座板に対する接触量（引き起こし量）が徐々に減少するようになるので、操作力は次第に小さくなり、その操作自体に勢いが増すものとなる。
【００１２】
このように、取付相手部材に対するキャスターの装着作業では、キャスター（座板）に対して係る負荷が少なく、且つ短時間の負荷であるから、キャスターの装着は極めて簡単なものである。
なお、第一係合口部に設けるストッパ部は、上下方向に弾性変形可能なものとして設けておくのが好適である。
これにより、ストッパ部を座板で引き起こすようにする操作が、一層、軽減されることになる。
【００１３】
座板支持部は、第二係合口部へ座板の他端部を差し込み完了状態としたときに、第一係合口部のストッパ部をキャスター取付部の上方から視認可能にする開口を形成した大きさで形成するのが好適である。
このようにすることで、一旦、キャスターを装着した後でも、開口を介してストッパ部を上方から押して、ストッパ部による座板の押圧状態を解除させることができるため、これによってキャスターを簡単に取り外すことが可能になる。すなわち、キャスターの交換、或いは取付相手部材の交換が可能となり、それらの再利用ができる（使用寿命を長くできる）という利点に繋がる。
【００１４】
座板支持部は、第二係合口部へ座板の他端部を差し込み完了状態としたときに、この第二係合口部に差し込まれた座板の上面をキャスター取付部の上方から視認可能にする開口を形成した大きさで形成するのが好適である。
このようにすると、座板に設けられているボルト挿通孔を、開口を介して上方へ露出させることが可能になる。そのため、このボルト挿通孔を利用して適宜の抜止措置を講ずることができるようになる。
なお、キャスター取付部は、座板支持部と第一係合口部と第二係合口部を含めて、取付相手部材に一体形成されたものとするのが、製作面及びコスト面で有利である。
【００１５】
一方、本発明に係る台車は、台枠と、この台枠の下面に設けられたキャスターとを有したもので、上記台枠を取付相手部材とし、この取付相手部材とキャスターとの間で、本発明に係るキャスターの取付構造を適用したものである。
そしてこの台車は、上記台枠に対し、相互段積みするときに平面方向の位置ズレを阻止する凹凸係合部が上面と下面との間で形成されるものとなっている。
このようにすることで、段積み状態の安定化が図れる。また、段積み状態が安定するため、キャスターが下位の台車に衝突して横方向の強い衝撃を受けるといったことを防止でき、もって台枠からのキャスターの外れ防止等が図れるものである。
【００１６】
なお、台枠の上面には、上位に段積みされた台車のキャスターを収容可能にする窪み部を設けておくのが好適である。
このようにすることで、キャスターに対して徒に横方向の衝撃等が加わらないようにでき、外れ防止効果を一層高めることができる。また当然に、段積み高さを抑えて安定性を図ることにも繋がる。
また、台枠に対し、キャスターには接触しない位置で下方へ突出する幕板部を設けて、この幕板部の下端が段積み時の下位の台枠上部に当接可能なものとしておき、これら幕板部の下端部と台枠の上部との間で前記凹凸係合部を形成させるようにすればよい。
【発明の効果】
【００１７】
本発明に係るキャスターの取付構造では、ボルトやナット等を用いずともキャスターの装着が極めて簡単であり、そのうえで装着に必要な力も軽くて済み、また構造的にもコスト高等を招来することがない。
また本発明に係る台車では、段積みが安定し、段積み作業時やその後の段積み状態においてキャスターへの衝撃発生を防止でき、もってボルトやナットを用いないで装着したキャスターであってもその脱落を確実に防止できるものである。
【発明を実施するための最良の形態】
【００１８】
以下、本発明の実施の形態を、図面に基づき説明する。
図１乃至図１１は、本発明に係るキャスターの取付構造を具備した台車１の一実施形態を示している。この台車１は、台枠２と、この台枠２を「取付相手部材」としてその下面に設けられたキャスター３とを有している。即ち、台枠２とキャスター３との間で、本発明に係るキャスターの取付構造が実施されている。
なお、この台車１は、パン箱などを複数段積みして運搬する場合に使用されるものを例示した。
【００１９】
台枠２はポリプロピレン等の樹脂材により長方形盤体状に形成されたものであって、軽量化及び材料コスト軽減のため、盤面中央部には大きな開口部５が形成されていると共にこの開口部５の周りを取り囲む盤面にも多くの長孔状開口６が形成されて、目皿状になっている。
この台枠２の外周部にはその三辺部にやや高い外周リブ７が突設形成され、残る一辺部は盤面とフラット面とされており、この盤面上に載せる積載物（パン箱など）を、このフラットな辺部を介して横方へスライド出し入れできるようになっている。すなわち、積載物を外周リブ７の高さまでいちいち持ち上げなくて済むので、荷下ろしや積み込みが容易となっている。
【００２０】
台枠２における盤面上面の四隅部には窪み部８が凹設されている。各窪み部８に相当する盤面下部にキャスター３が取り付けられるようになっており（即ち、キャスター３も４つある）、図１０に示すように、この台車１相互を段積みする際には、各キャスター３が窪み部８内に収容されて、台車１相互の段積みを邪魔しないようになっている。
台枠２の一組の対向側辺には下方へ突出する幕板部１０が設けられている。この幕板部１０は、キャスター３とキャスター３との間（ホイルベース間）に相当した位置付けとされている。但し、キャスター３が首振り回動したとしても、このキャスター３とは接触することがないよう、その首振り軌跡から控えた位置付けとされ、また側面視形状は下すぼみの船底形に形成されている。言うまでもなく、キャスター３による走行時に路面に対して底付きすることがない大きさとされている。
【００２１】
この幕板部１０が設けられている辺部の外周リブ７には、その上端部の外向き面に、台車１相互を段積みすることによって上位台車１の幕板部１０の下端が係合するように、段差１１が凹設されている。これら幕板部１０の下端部と段差１１とは、互いの係合時に幕板部１０が前後にガタツキを生じない程度の係合関係が得られるようになっている。すなわち、これら幕板部１０の下端部と段差１１とが係合することで、第一の凹凸係合部１２が形成される。
また、図１０及び図１１に示すように、幕板部１０の裏面にはその長手方法の両端寄り２カ所で、それぞれ高さ方向に沿って補強リブ１３が設けられている。これら幕板部１０と補強リブ１３とは、これらを平面断面視するとＴ字状を呈するように直角の関係にある。
【００２２】
これに対し、幕板部１０の下端部が段差１１に係合したときに補強リブ１３が外周リブ７の上面と接触干渉するのを避けるために、この外周リブ７の上面に、切欠状の凹部１４が凹設されている。これら補強リブ１２の下端部と外周リブ７の凹部１４とは、台車１相互を段積みしたときに互いに係合関係が得られるようになっている。すなわち、これら補強リブ１２の下端部と外周リブ７の凹部１４とが係合することで、第二の凹凸係合部１５が形成される。
このように台車１相互を段積みしたときには、第一の凹凸係合部１２と第二の凹凸係合部１５とが形成されるので、例えば上位の台車１に横向きの強い力が加わっても、台車１相互の段積み状態が平面方向で位置ズレすることは阻止されるものであり、万が一、第一の凹凸係合部１２の係合が脅かされる程の強い力であったとしても、第二の凹凸係合部１５により、台車１相互の段積み状態は安定状態を維持することができる。
【００２３】
すなわち、台車１相互を段積みしたときにあって、その段積み状態が不安定になることを原因としては、キャスター３が下位の台車１によって横向きの衝突力を受けることがないので、このキャスター３が台枠２から外れるようなことも防止されることになる。
上記したように、台枠２において、盤面上面の四隅部に設けられた窪み部８の下部に対応させてキャスター３が取り付けられるものであり、この窪み部８の底板部はキャスター取付部２０を形成している。
なお、図１等に示すように、キャスター３は樹脂、ゴム、或いは金属製の車輪２１がブラケット２２によって回転自在に保持され、このブラケット２２の上部に、キャスター取付部２０に対して取り付けるための座板２３が設けられている。ブラケット２２や座板２３は金属製とするのが好適であるが、樹脂などで形成することも可能である。またブラケット２２は、座板２３を一体に備えたもの（ブラケット２２が首振りしないタイプ）でもよいし、座板２３が別体とされ回転自在とされたもの（ブラケット２２が首振りするタイプ）でもよい。図例は首振りタイプであり、ブラケット２２と座板２３との間にベアリング２４が設けられている。
【００２４】
図１、図４乃至図８に示すように、キャスター取付部２０は、座板支持部２６と、第一係合口部２７と、第二係合口部２８とを有している。
座板支持部２６は、キャスター３の座板２３の上面を当て止めするところであって、第一係合口部２７及び第二係合口部２８はこの座板支持部２６を中間においてその両側に振り分け配置されている。
本実施形態において、座板支持部２６は窪み部８の下面に相当し、台枠２の盤面上面と面平行なフラット面となっている。そして第一係合口部２７及び第二係合口部２８は、この座板支持部２６よりも下方へ突出した下向きの鉤型に形成され、座板支持部２６を介して互い対向するように設けられている。
【００２５】
図６に示すように、第一係合口部２７における鉤型の上面と座板支持部２６の下面とは略同じレベルとなるように形成されている。また、第二係合口部２８における鉤型の上面と座板支持部２６の下面との上下間には、キャスター３の座板２６の板厚と略同じ寸法の隙間Ｇが形成されている。
図４からも明らかなように、第一係合口部２７における鉤型の根本部（上端）と、これに近い方（図４、図６の右側）の座板支持部２６の端部との間は開口Ｘとされ、特にこのうち第一係合口部２７における鉤型の先端と座板支持部２６の端部との間には隙間ｘが形成されており、この隙間ｘは上下方向に貫通している。
【００２６】
また第二係合口部２８における鉤型の根本部（上端）と、これに近い方（図４、図６の左側）の座板支持部２６の端部との間は開口Ｙとされ、特にこのうち第二係合口部２８における鉤型の先端と座板支持部２６の端部との間には隙間ｙが形成されており、この隙間ｙは上下方向に貫通している。
すなわち、座板支持部２６は第一係合口部２７（鉤型の先端）と第二係合口部２８（同じく鉤型の先端）との相互間隔よりも短く形成されており、窪み部８の上方から、開口Ｘを介して第一係合口部２７を確認したり、開口Ｙを介して第二係合口部２８を確認したりすることができる。
【００２７】
そして、第一係合口部２７（鉤型の先端）と第二係合口部２８（同じく鉤型の先端）との相互間隔は、この間へ差し込むキャスター３の座板２３の寸法を基準として、次のように決められている。
まず、図７に示すように、第一係合口部２７へ座板２３の一端部を差し込み、この状態から図８に示すように座板２３の上面を座板支持部２６へ当接させるようにしたとき、座板２３の他端部が第二係合口部２８には当接せず、この第二係合口部２８へ向けた差し込み準備位置へ位置付けられるようになっている。
【００２８】
また、この図８に示した状態から、第一係合口部２７へ差し込んだ座板２３の一端部をこの第一係合口部２７から引き抜くようにすることによって、座板２３の他端部を第二係合口部２８へ差し込むことができ、この差し込んだ座板２３の端部が図１に示すように、第二係合口部２８内の行き止まり位置まで達したとき（差し込みが完了したとき）に、第一係合口部２７から座板２３の端部が出るようになっている。
第一係合口部２７には、その鉤型の先端部にストッパ部３０が設けられている。このストッパ部３０は、第二係合口部２８内の行き止まり位置まで座板２３の他端部を差し込んだとき（差込完了時）に、この第一係合口部２７から出た座板２３の端部を第二係合口部２８へ向けて当て止めするようになっている。
【００２９】
第一係合口部２７には、図４及び図５から明らかなように、ストッパ部３０の両脇にスリット３１が形成されている。そのためこのストッパ３０は、その先端寄りほど上下方向に弾性変形可能なものとなっている。
従って図７の状態から図８の状態へと、第一係合口部２７に対する座板２３の差込角度を変えるとき（座板２３の上面を座板支持部２６へ当接させるとき）、座板２３によりストッパ部３０を下方へ引き起こすようにする操作が軽減される。
上記したように、キャスター取付部２０の上方から（窪み部８内で）は、開口Ｘを介して第一係合口部２７を確認することができるよう、座板支持部２６の大きさが決められているので、図１及び図４に示したように、第二係合口部２８へ座板２３の端部を差し込み完了させたときには、第一係合口部２７のストッパ部３０を上方から視認できることになる。そこで一旦、キャスター３を装着した後でも、ストッパ部３０を窪み部８内で押し下げるようにすれば、ストッパ部３０による座板２３の押圧状態を解除させることができる。
【００３０】
これにより、図１から図８、図８から図７に示す状態へと座板２３を上記とは逆移動させれば、キャスター取付部２０からキャスター３を取り外すことが簡単にできることになる。すなわち、キャスター３０の車輪２１やベアリング２４が摩耗や破損などしたとき、或いは台枠２が破損したときなどに、これらを適宜交換することができる。
また、キャスター取付部２０の上方から（窪み部８内で）は、開口Ｙを介して第二係合口部２８を確認することができるよう、座板支持部２６の大きさが決められているので、図１及び図４に示したように、第二係合口部２８へ座板２３の端部を差し込み完了させたときには、この第二係合口部２８に差し込まれた座板２３の上面を上方から視認できることになる。
【００３１】
これにより、座板２３に設けられているボルト挿通孔３３を窪み部８の上方へ露出させることができる。そのため、例えば図９に示すように、このボルト挿通孔３３へ嵌るダボピン３５を具備した盲蓋部材３６を嵌め付ければ、第二係合口部２８からの座板２３の抜止措置となり、キャスター取付部２０からのキャスター３の脱落を確実に防止することができる。
のみならず、このような盲蓋部材３６は、窪み部８内でキャスター３の座板２３が露出する状態を僅かながらも隠すことができる。この盲蓋部材３６は、例えば台枠２を形成する際に、盤面中央部に設ける開口部５の内側スペースを利用して、この台枠２と同じ材料で形成することができる。
【００３２】
このように形成した盲蓋部材３６であれば、窪み部８の内面と全く同じ色、同じ質感となり、まさにキャスター３の座板２３を隠すのに好都合となる。また形成の手間も殆ど不要であり、材料コストも殆ど必要ないという、数々の利点がある。
以上詳説したところから明らかなように、本発明に係るキャスター３の取付構造を具備した台車１では、第一係合口部２７に対し、キャスター３の座板２３の一端部を差し込む段階（図７参照）では、キャスター３（座板２３）に対して何ら負荷が生じない。
また、第一係合口部２７へ差し込んだ座板２３の一端部を引き抜きつつ第二係合口部２８へ座板２３の他端部を差し込むに際して（図７から図８への操作）は、第一係合口部２７のストッパ部３０を座板２３で下方へ引き起こすように操作するが、このときの座板２３の動きには梃子作用が生じるため、ストッパ部３０の引き起こしは軽い力で行える。しかもこの操作はごく短時間の所作である。
【００３３】
そして、第二係合口部２８へ座板２３の他端部を差し込み完了させて、第一係合口部２７のストッパ部３０を座板２３の他端部へ当接させる操作も、キャスター３（座板２３）に対しては殆ど負荷は生じない。
このように、台枠２に対するキャスター３の装着作業では、キャスター３（座板２３）に対して係る負荷が少なく、且つ短時間の負荷であるから、キャスター３の装着は極めて簡単なものである。
ところで、本発明は、上記実施形態に限定されるものではなく、実施の形態に応じて適宜変更可能である。
【００３４】
例えば、台車１の用途は何ら限定されない。
また、キャスター３の取付相手は、台車１の台枠２に限定されず、ロッカー、棚、テーブルなどの家具類をはじめ、移動を予定した各種のものとしてもよい。
【図面の簡単な説明】
【００３５】
【図１】図８に続く手順であってキャスター取付後の状態を示した側断面図である。
【図２】本発明に係るキャスター取付構造を具備した台車の一実施形態を示した斜視図である。
【図３】図２のＡ−Ａ線矢視図（部分平面図：但しキャスターの取り付けられていない状態）である。
【図４】図３の一部（窪み部）を拡大して示した平面図である。
【図５】図４のＢ−Ｂ線断面図である。
【図６】図４のＣ−Ｃ線断面図である。
【図７】図６で示した状態にキャスターを取り付ける最初の手順を示した側断面図である。
【図８】図７に続く手順を示した側断面図である。
【図９】キャスター取付後に抜止処理を行う場合の一例を一部破砕して示した斜視図である。
【図１０】台車相互の段積み状態を示した部分側断面図である。
【図１１】台車段積み時に形成される凹凸係合部を説明した斜視図である。
【符号の説明】
【００３６】
１  台車
２  台枠（取付相手部材）
３  キャスター
８  窪み部
１０  幕板部
１２  凹凸係合部
１５  凹凸係合部
２０  キャスター取付部
２１  車輪
２３  座板
２６  座板支持部
２７  第一係合口部
２８  第二係合口部
３０  ストッパ部
【図１】
2006213231.tif 000003
【図２】
2006213231.tif 000004
【図３】
2006213231.tif 000005
【図４】
2006213231.tif 000006
【図５】
2006213231.tif 000007
【図６】
2006213231.tif 000008
【図７】
2006213231.tif 000009
【図８】
2006213231.tif 000010
【図９】
2006213231.tif 000011
【図１０】
2006213231.tif 000012
【図１１】
2006213231.tif 000013